(57)【要約】  【課題】  使用者に過度な負担をかけることなく小鳥に飲水および水浴の両方を行わせることができる便利な小鳥用給水装置を提供する。  【解決手段】  小鳥用給水装置１０は、水を内部に溜めるための水タンク２０と、水タンク２０から供給される水を溜めて小鳥に飲水および水浴を行わせるための水トレー３０とを備え、水タンク２０は、水を水トレー３０に供給するための水供給用穴２０ａと、水供給用穴２０ａより鉛直方向における位置が上側に配置された上穴２０ｃとが形成され、水供給用穴２０ａおよび上穴２０ｃは、それぞれ水タンク２０に穴として自身のみが形成されていると仮定すると水が表面張力で保持される大きさに形成されていることを特徴とする。【選択図】  図５
2009261366.tif 000002
【特許請求の範囲】
【請求項１】
水を内部に溜めるための水タンクと、前記水タンクから供給される前記水を溜めて小鳥に飲水および水浴を行わせるための水トレーとを備え、
前記水タンクは、前記水を前記水トレーに供給するための水供給用穴と、前記水供給用穴より鉛直方向における位置が上側に配置された上穴とが形成され、
前記水供給用穴および前記上穴は、それぞれ前記水タンクに穴として自身のみが形成されていると仮定すると前記水が表面張力で保持される大きさに形成されていることを特徴とする小鳥用給水装置。
【請求項２】
水を内部に溜めるための水タンクと、前記水タンクから供給される前記水を溜めて小鳥に飲水および水浴を行わせるための水トレーとを備え、
前記水タンクは、前記水を前記水トレーに供給するための水供給用穴が形成され、
前記水供給用穴は、長手方向の両端の鉛直方向における位置が異なる長穴であって、前記長手方向に直交する方向の長さを直径とする丸穴であると仮定すると前記水が表面張力で保持される大きさに形成されていることを特徴とする小鳥用給水装置。
【発明の詳細な説明】
【技術分野】
【０００１】
本発明は、小鳥に水を与えるための小鳥用給水装置に関する。
【背景技術】
【０００２】
従来の小鳥用給水装置として、水を内部に溜めるための水タンクと、水タンクから供給される水を溜めて小鳥に飲水を行わせるための水トレーとを備えているものが知られている（例えば、特許文献１参照。）。
【特許文献１】特開平１−２４０１２７号公報
【発明の開示】
【発明が解決しようとする課題】
【０００３】
小鳥と、水との関わりは、飲水だけではない。小鳥は、羽に付いたダニなどの虫を洗い流すため、水浴を行う。本願発明者は、小鳥と、水との関わりが飲水だけではなく水浴もあることに着目して、小鳥に飲水および水浴の両方を行わせることができる便利な小鳥用給水装置の開発を行った。
【０００４】
その開発の過程で、本願発明者は、小鳥の水浴によって水トレー上の水が水タンク内に逆流してしまうため、小鳥の水浴によって水トレー上の水だけでなく水タンク内の水も汚れ、その結果、小鳥の飼い主などの小鳥用給水装置の使用者が水タンク内の水を頻繁に換えなければならず、使用者に負担がかかるという問題を発見した。
【０００５】
そこで、本発明は、使用者に過度な負担をかけることなく小鳥に飲水および水浴の両方を行わせることができる便利な小鳥用給水装置を提供することを目的とする。
【課題を解決するための手段】
【０００６】
本発明の小鳥用給水装置は、水を内部に溜めるための水タンクと、前記水タンクから供給される前記水を溜めて小鳥に飲水および水浴を行わせるための水トレーとを備え、前記水タンクは、前記水を前記水トレーに供給するための水供給用穴と、前記水供給用穴より鉛直方向における位置が上側に配置された上穴とが形成され、前記水供給用穴および前記上穴は、それぞれ前記水タンクに穴として自身のみが形成されていると仮定すると前記水が表面張力で保持される大きさに形成されていることを特徴とする。
【０００７】
水供給用穴および上穴は、それぞれ水タンクに穴として自身のみが形成されていると仮定すると水が表面張力で保持される大きさに形成されている。この構成により、本発明の小鳥用給水装置は、水トレー上の水が減って水タンク内から水供給用穴を介して水トレー上に水が供給されるときに水が水供給用穴で抵抗を受けて水タンク内から水トレー上に微少な量ずつ供給されるので、水タンク内から水供給用穴を介して水トレー上に供給される水の流れの勢いによって水トレーの底部に沈殿している羽毛などのゴミが巻き上げられることを抑制することができ、それによって水トレー上の水中のゴミが水供給用穴または上穴を介して水タンク内に入り込むことを抑制することができる。また、本発明の小鳥用給水装置は、水供給用穴および上穴が微小に形成されているので、水トレー上の水にゴミが浮かんでいる場合であっても、水トレー上の水中のゴミのうち、水供給用穴や上穴より大きいゴミが小鳥の水浴による水流などによって水供給用穴または上穴を介して水タンク内に入り込むことを防止することができる。また、本発明の小鳥用給水装置は、水トレー上の水が減って水タンク内から水供給用穴を介して水トレー上に水が供給されるときに、水タンク内から水供給用穴を介して水トレー上に供給される水の換わりに水タンク内に水供給用穴または上穴を介して空気が導入されるが、この空気も水タンク内から水供給用穴を介して水トレー上に供給される水と同じ微少な量ずつ水タンク内に導入されるので、この空気とともに水トレー上の水中のゴミを水供給用穴または上穴を介して水タンク内に巻き込むことを抑制することができる。以上に説明したように、本発明の小鳥用給水装置は、水トレー上の水中のゴミが水供給用穴または上穴を介して水タンク内に入り込むことを抑制することができるので、水タンク内の水の交換頻度を抑えることができ、使用者にかかる負担を抑えることができる。すなわち、小鳥用給水装置は、使用者に過度な負担をかけることなく小鳥に飲水および水浴の両方を行わせることができる。
【０００８】
本発明の小鳥用給水装置は、水を内部に溜めるための水タンクと、前記水タンクから供給される前記水を溜めて小鳥に飲水および水浴を行わせるための水トレーとを備え、前記水タンクは、前記水を前記水トレーに供給するための水供給用穴が形成され、前記水供給用穴は、長手方向の両端の鉛直方向における位置が異なる長穴であって、前記長手方向に直交する方向の長さを直径とする丸穴であると仮定すると前記水が表面張力で保持される大きさに形成されていることを特徴とする。
【０００９】
水供給用穴は、長手方向の両端の鉛直方向における位置が異なる長穴であって、長手方向に直交する方向の長さを直径とする丸穴であると仮定すると水が表面張力で保持される大きさに形成されている。この構成により、本発明の小鳥用給水装置は、水トレー上の水が減って水タンク内から水供給用穴を介して水トレー上に水が供給されるときに水が水供給用穴で抵抗を受けて水タンク内から水トレー上に微少な量ずつ供給されるので、水タンク内から水供給用穴を介して水トレー上に供給される水の流れの勢いによって水トレーの底部に沈殿している羽毛などのゴミが巻き上げられることを抑制することができ、それによって水トレー上の水中のゴミが水供給用穴を介して水タンク内に入り込むことを抑制することができる。また、本発明の小鳥用給水装置は、水供給用穴が微小に形成されているので、水トレー上の水にゴミが浮かんでいる場合であっても、水トレー上の水中のゴミのうち、水供給用穴より大きいゴミが小鳥の水浴による水流などによって水供給用穴を介して水タンク内に入り込むことを防止することができる。また、本発明の小鳥用給水装置は、水トレー上の水が減って水タンク内から水供給用穴を介して水トレー上に水が供給されるときに、水タンク内から水供給用穴を介して水トレー上に供給される水の換わりに水タンク内に水供給用穴を介して空気が導入されるが、この空気も水タンク内から水供給用穴を介して水トレー上に供給される水と同じ微少な量ずつ導入されるので、この空気とともに水トレー上の水中のゴミを水供給用穴を介して水タンク内に巻き込むことを抑制することができる。以上に説明したように、本発明の小鳥用給水装置は、水トレー上の水中のゴミが水供給用穴を介して水タンク内に入り込むことを抑制することができるので、水タンク内の水の交換頻度を抑えることができ、使用者にかかる負担を抑えることができる。すなわち、小鳥用給水装置は、使用者に過度な負担をかけることなく小鳥に飲水および水浴の両方を行わせることができる。
【発明の効果】
【００１０】
本発明の小鳥用給水装置は、使用者に過度な負担をかけることなく小鳥に飲水および水浴の両方を行わせることができる。
【発明を実施するための最良の形態】
【００１１】
以下、本発明の実施の形態について、図面を用いて説明する。
【００１２】
（第１の実施の形態）
まず、本発明の第１の実施の形態に係る小鳥用給水装置の構成について説明する。
【００１３】
図１は、本実施の形態に係る小鳥用給水装置１０の外観斜視図である。図２、図３、図４は、それぞれ小鳥用給水装置１０の正面図、右側面図、平面図である。図５は、小鳥用給水装置１０の背面側から見た分解斜視図である。
【００１４】
図１〜図５に示すように、小鳥用給水装置１０は、水を供給するための水供給用穴２０ａが下部に形成されて水を内部に溜めるための水タンク２０と、水タンク２０の内部から水供給用穴２０ａを介して水タンク２０の外部に落下する水を溜めて小鳥に飲水および水浴を行わせるための水トレー３０とを備えており、図示していない鳥かごに固定されるものである。
【００１５】
水タンク２０は、使用者が水タンク２０の内部に水を入れるための水入れ口２０ｂが上部に形成されている。そして、水入れ口２０ｂは、栓２３によって塞がれることが可能になっている。また、水タンク２０は、水供給用穴２０ａより矢印１０ａで示す鉛直方向における位置が上側に配置された上穴２０ｃが下部に形成されている。水供給用穴２０ａは、水タンク２０に上穴２０ｃが形成されておらず穴として自身のみが形成されていると仮定すると水が表面張力で保持される大きさに形成されている。同様に、上穴２０ｃは、水タンク２０に水供給用穴２０ａが形成されておらず穴として自身のみが形成されていると仮定すると水が表面張力で保持される大きさに形成されている。
【００１６】
ここで、水タンク２０は、水入れ口２０ｂが一端に形成されて他端が傾斜している筒２１と、水供給用穴２０ａおよび上穴２０ｃが形成されて筒２１の他端に接着された板２２とによって構成されている。
【００１７】
例えば、筒２１および板２２の板厚は、３ｍｍである。また、筒２１の外径は、５ｃｍである。また、板２２の上穴２０ｃは、直径が３ｍｍの丸穴であって、中心の位置が板２２の下端から３３ｍｍの位置である。また、板２２の水供給用穴２０ａは、直径が３ｍｍの丸穴であって、中心の位置が板２２の下端から２５ｍｍの位置である。
【００１８】
水トレー３０は、筒３１と、筒３１の一端に接着された板３２とによって構成されている。筒３１の他端は、板２２に対して筒２１とは反対側から板２２に接着されている。
【００１９】
例えば、筒３１および板３２の板厚は、３ｍｍである。また、筒３１は、外径が５ｃｍであって、全長が１５ｃｍである。また、板３２は、直径５ｃｍの丸板を半分にした形状である。
【００２０】
図６は、筒２１および筒３１を切り出す前の筒４０の側面図である。
【００２１】
図６に示すように、筒２１および筒３１は、破線で示した切断線４０ａ、４０ｂで１つの筒４０から切り出されるようになっている。
【００２２】
次に、小鳥用給水装置１０の機能について説明する。
【００２３】
図７は、小鳥用給水装置１０の側面断面図であって、水タンク２０内から水供給用穴２０ａを介して水タンク２０外に水８０が落ちる直前の図である。図８は、小鳥用給水装置１０の側面断面図であって、水タンク２０内から水供給用穴２０ａを介して水タンク２０外に水８０が落ちた直後の図である。図９は、小鳥用給水装置１０の側面断面図であって、水トレー３０に水８０が溜まっているときの図である。
【００２４】
使用者が水タンク２０の栓２３を外して水タンク２０の水入れ口２０ｂから水タンク２０の内部に水８０を入れた後で水入れ口２０ｂを栓２３で塞ぐと、図７に示すように水タンク２０外の空気８５が水供給用穴２０ａを介して水タンク２０内に導入される。このとき、水タンク２０内の水８０は、水タンク２０外から水供給用穴２０ａを介して水タンク２０内に導入された空気８５の体積の分だけ、一時的に上穴２０ｃを介して水タンク２０外に突出するが、表面張力によって水トレー３０上に落ちることは抑制される。そして、図８に示すように、水タンク２０内から一時的に上穴２０ｃを介して水タンク２０外に突出した水８０が元に戻ると、水タンク２０内の水８０が水供給用穴２０ａを介して水タンク２０外に落ちる。この繰り返しによって、水タンク２０内の水８０は、水供給用穴２０ａを介して水タンク２０外に微少な量ずつ落ち続ける。そして、図９に示すように水トレー３０上の水８０の水位が水供給用穴２０ａとほぼ同じ高さになると、水８０の表面張力によって水供給用穴２０ａが完全に塞がって水タンク２０外から水供給用穴２０ａを介して水タンク２０内に空気８５が入らなくなるので、水タンク２０内から水供給用穴２０ａを介して水タンク２０外に水８０も出なくなる。
【００２５】
図１０は、水トレー３０に溜まった水８０を飲んでいる小鳥９０を示す図である。図１０に示すように、小鳥９０は、水トレー３０に溜まった水８０を飲むことができる。なお、小鳥９０は、例えば、嘴から尾までの体長が１２ｃｍである。
【００２６】
図１１は、水トレー３０に溜まった水８０で水浴を行っている小鳥９０を示す図である。図１１に示すように、小鳥９０は、水トレー３０に溜まった水８０で水浴を行うこともできる。
【００２７】
小鳥９０が水トレー３０上の水８０を飲んだり、水トレー３０上の水８０で水浴を行ったりすると、水トレー３０上の水８０の量は減る。特に、小鳥９０が水浴を行うと、水トレー３０上の水８０は、例えば板３２の部分から溢れ出し、多量に減る。水トレー３０上の水８０の量が減って水供給用穴２０ａが水トレー３０上の水８０によって塞がれなくなると、水トレー３０上の水８０によって水供給用穴２０ａが塞がれるようになるまで、水トレー３０には水タンク２０から水供給用穴２０ａを介して再び水８０が供給される。
【００２８】
水供給用穴２０ａおよび上穴２０ｃは、それぞれ水タンク２０に穴として自身のみが形成されていると仮定すると水８０が表面張力で保持される大きさに形成されている。したがって、小鳥用給水装置１０は、水トレー３０上の水８０が減って水タンク２０内から水供給用穴２０ａを介して水トレー３０上に水８０が供給されるときに水８０が水供給用穴２０ａで抵抗を受けて水タンク２０内から水トレー３０上に微少な量ずつ供給されるので、水タンク２０内から水供給用穴２０ａを介して水トレー３０上に供給される水８０の流れの勢いによって水トレー３０の底部に沈殿している羽毛などのゴミが巻き上げられることを抑制することができ、それによって水トレー３０上の水８０中のゴミが水供給用穴２０ａを介して水タンク２０内に入り込むことを抑制することができる。
【００２９】
また、小鳥用給水装置１０は、水供給用穴２０ａが微小に形成されているので、水トレー３０上の水８０にゴミが浮かんでいる場合であっても、水トレー３０上の水８０中のゴミのうち、水供給用穴２０ａより大きいゴミが小鳥の水浴による水流などによって水供給用穴２０ａを介して水タンク２０内に入り込むことを防止することができる。
【００３０】
また、小鳥用給水装置１０は、水トレー３０上の水８０が減って水タンク２０内から水供給用穴２０ａを介して水トレー３０上に水８０が供給されるときに、水タンク２０内から水供給用穴２０ａを介して水トレー３０上に供給される水８０の換わりに水タンク２０内に水供給用穴２０ａを介して空気８５が導入されるが、この空気８５も水タンク２０内から水供給用穴２０ａを介して水トレー３０上に供給される水８０と同じ微少な量ずつ水タンク２０内に導入されるので、この空気８５とともに水トレー３０上の水８０中のゴミを水供給用穴２０ａを介して水タンク２０内に巻き込むことを抑制することができる。
【００３１】
以上に説明したように、小鳥用給水装置１０は、水トレー３０上の水中のゴミが水供給用穴２０ａを介して水タンク２０内に入り込むことを抑制することができるので、水タンク２０内の水８０の交換頻度を抑えることができ、使用者にかかる負担を抑えることができる。すなわち、小鳥用給水装置１０は、使用者に過度な負担をかけることなく小鳥に飲水および水浴の両方を行わせることができる。
【００３２】
なお、水８０には、酢を０．１％以上加えることが好ましい。これにより、静菌作用や殺菌作用を期待することができ、長期間、水質を維持することができる。また、水トレー３０に付いた水垢を落とすことや、水トレー３０に水垢が付くことを防止することも期待することができる。
【００３３】
（第２の実施の形態）
まず、本発明の第２の実施の形態に係る小鳥用給水装置の構成について説明する。
【００３４】
なお、本実施の形態に係る小鳥用給水装置の構成のうち、第１の実施の形態に係る小鳥用給水装置１０（図５参照。）の構成と同様な構成については、小鳥用給水装置１０の構成と同一の符号を付して詳細な説明を省略する。
【００３５】
図１２は、本実施の形態に係る小鳥用給水装置１１０の背面側から見た分解斜視図である。
【００３６】
図１２に示すように、小鳥用給水装置１１０の構成は、小鳥用給水装置１０が水タンク２０のおよび水トレー３０（図５参照。）に代えて水タンク１２０のおよび水トレー１３０を備えた構成と同様である。
【００３７】
水タンク１２０の構成は、水入れ口２０ｂが一端に形成された筒１２１と、一端が筒１２１の他端に接着された筒１２２と、水供給用穴２０ａおよび上穴２０ｃが形成されて筒１２２の他端に接着された板１２３とを筒２１（図５参照。）および板２２（図５参照。）に代えて水タンク２０（図５参照。）が備えた構成と同様である。板１２３は、矢印１０ａで示す鉛直方向に平行に配置されている。
【００３８】
例えば、筒１２１、筒１２２および板１２３の板厚は、３ｍｍである。また、筒１２１および筒１２２の外径は、５ｃｍである。また、板１２３の上穴２０ｃは、直径が３ｍｍの丸穴であって、中心の位置が板１２３の下端から２３ｍｍの位置である。また、板１２３の水供給用穴２０ａは、直径が３ｍｍの丸穴であって、中心の位置が板１２３の下端から１８ｍｍの位置である。
【００３９】
水トレー１３０は、水トレー３０（図５参照。）が筒３１（図５参照。）に代えて筒１３１を備えた構成とどうようである。筒１３１の他端は、板１２３に対して筒１２２とは反対側から板１２３に接着されている。
【００４０】
例えば、筒１３１の板厚は、３ｍｍである。また、筒１３１は、外径が５ｃｍであって、全長が１０ｃｍである。
【００４１】
次に、小鳥用給水装置１１０の機能について説明する。
【００４２】
図１３は、小鳥用給水装置１１０の側面断面図であって、水タンク１２０内から水供給用穴２０ａを介して水タンク１２０外に水８０が落ちているときの図である。図１４は、小鳥用給水装置１１０の側面断面図であって、水トレー１３０に水８０が溜まっているときの図である。
【００４３】
使用者が水タンク１２０の栓２３を外して水タンク１２０の水入れ口２０ｂから水タンク１２０の内部に水８０を入れた後で水入れ口２０ｂを栓２３で塞ぐと、図１３に示すように空気８５が水タンク１２０外から上穴２０ｃを介して水タンク１２０内に微少な量ずつ入り続けると同時に水８０が水タンク１２０内から水供給用穴２０ａを介して水タンク１２０外に微少な量ずつ落ち続ける。そして、図１４に示すように水トレー１３０上の水８０の水位が上穴２０ｃとほぼ同じ高さになると、水８０の表面張力によって上穴２０ｃが完全に塞がって水タンク１２０外から上穴２０ｃを介して水タンク１２０内に空気８５が入らなくなるので、水タンク１２０内から水供給用穴２０ａを介して水タンク１２０外に水８０も出なくなる。
【００４４】
小鳥が水トレー１３０上の水８０を飲んだり、水トレー１３０上の水８０で水浴を行ったりすると、水トレー１３０上の水８０の量は減る。特に、小鳥が水浴を行うと、水トレー１３０上の水８０は、例えば板３２の部分から溢れ出し、多量に減る。水トレー１３０上の水８０の量が減って上穴２０ｃが水トレー１３０上の水８０によって塞がれなくなると、水タンク１２０外から上穴２０ｃを介して水タンク１２０内に空気８５が入るので、水トレー１３０上の水８０によって上穴２０ｃが塞がれるようになるまで、水トレー１３０には水タンク１２０から水供給用穴２０ａを介して再び水８０が供給される。
【００４５】
水供給用穴２０ａおよび上穴２０ｃは、それぞれ水タンク１２０に穴として自身のみが形成されていると仮定すると水８０が表面張力で保持される大きさに形成されている。したがって、小鳥用給水装置１１０は、水トレー１３０上の水８０が減って水タンク１２０内から水供給用穴２０ａを介して水トレー１３０上に水８０が供給されるときに水８０が水供給用穴２０ａで抵抗を受けて水タンク１２０内から水トレー１３０上に微少な量ずつ供給されるので、水タンク１２０内から水供給用穴２０ａを介して水トレー１３０上に供給される水８０の流れの勢いによって水トレー１３０の底部に沈殿している羽毛などのゴミが巻き上げられることを抑制することができ、それによって水トレー１３０上の水８０中のゴミが水供給用穴２０ａまたは上穴２０ｃを介して水タンク１２０内に入り込むことを抑制することができる。
【００４６】
また、小鳥用給水装置１１０は、水供給用穴２０ａおよび上穴２０ｃが微小に形成されているので、水トレー１３０上の水８０にゴミが浮かんでいる場合であっても、水トレー１３０上の水８０中のゴミのうち、水供給用穴２０ａや上穴２０ｃより大きいゴミが小鳥の水浴による水流などによって水供給用穴２０ａまたは上穴２０ｃを介して水タンク１２０内に入り込むことを防止することができる。
【００４７】
また、小鳥用給水装置１１０は、水トレー１３０上の水８０が減って水タンク１２０内から水供給用穴２０ａを介して水トレー１３０上に水８０が供給されるときに、水タンク１２０内から水供給用穴２０ａを介して水トレー１３０上に供給される水８０の換わりに水タンク１２０内に上穴２０ｃを介して空気８５が導入されるが、この空気８５も水タンク１２０内から水供給用穴２０ａを介して水トレー１３０上に供給される水８０と同じ微少な量ずつ水タンク１２０内に導入されるので、この空気８５とともに水トレー１３０上の水８０中のゴミを上穴２０ｃを介して水タンク１２０内に巻き込むことを抑制することができる。
【００４８】
以上に説明したように、小鳥用給水装置１１０は、水トレー１３０上の水中のゴミが水供給用穴２０ａまたは上穴２０ｃを介して水タンク１２０内に入り込むことを抑制することができるので、水タンク１２０内の水８０の交換頻度を抑えることができ、使用者にかかる負担を抑えることができる。すなわち、小鳥用給水装置１１０は、使用者に過度な負担をかけることなく小鳥に飲水および水浴の両方を行わせることができる。
【００４９】
（第３の実施の形態）
まず、本発明の第３の実施の形態に係る小鳥用給水装置の構成について説明する。
【００５０】
なお、本実施の形態に係る小鳥用給水装置の構成のうち、第１の実施の形態に係る小鳥用給水装置１０（図５参照。）の構成と同様な構成については、小鳥用給水装置１０の構成と同一の符号を付して詳細な説明を省略する。
【００５１】
図１５は、本実施の形態に係る小鳥用給水装置２１０の背面側から見た分解斜視図である。
【００５２】
図１５に示すように、小鳥用給水装置２１０の構成は、小鳥用給水装置１０が板２２（図５参照。）に代えて板２２２を備えた構成と同様である。
【００５３】
板２２２は、水を供給するための水供給用穴２２０ａが形成されている。水供給用穴２２０ａは、矢印２２０ｄで示す長手方向の両端である上端２２０ｂおよび下端２２０ｃの矢印１０ａで示す鉛直方向における位置が異なる長穴であって、矢印２２０ｄで示す長手方向に直交する矢印２２０eで示す方向の長さを直径とする丸穴であると仮定すると水が表面張力で保持される大きさに形成されている。
【００５４】
例えば、板２２２の板厚は、３ｍｍである。また、板２２２の水供給用穴２２０ａは、上端２２０ｂの位置、下端２２０ｃの位置がそれぞれ板２２２の下端から３３ｍｍ、１５ｍｍであって、矢印２２０eで示す方向の長さが３ｍｍである。
【００５５】
次に、小鳥用給水装置２１０の機能について説明する。
【００５６】
図１６は、小鳥用給水装置２１０の側面断面図であって、水タンク２０内から水供給用穴２２０ａを介して水タンク２０外に水８０が落ちているときの図である。図１７は、小鳥用給水装置２１０の側面断面図であって、水トレー３０に水８０が溜まっているときの図である。
【００５７】
使用者が水タンク２０の栓２３を外して水タンク２０の水入れ口２０ｂから水タンク２０の内部に水８０を入れた後で水入れ口２０ｂを栓２３で塞ぐと、図１６に示すように水供給用穴２２０ａの上端２２０ｂ側で空気８５が水タンク２０外から水供給用穴２２０ａを介して水タンク２０内に微少な量ずつ入り続けると同時に水供給用穴２２０ａの下端２２０ｃ側で水８０が水タンク２０内から水供給用穴２２０ａを介して水タンク２０外に微少な量ずつ落ち続ける。そして、図１７に示すように水トレー３０上の水８０の水位が水供給用穴２２０ａの上端２２０ｂとほぼ同じ高さになると、水８０の表面張力によって水供給用穴２２０ａが完全に塞がって水タンク２０外から水供給用穴２２０ａを介して水タンク２０内に空気８５が入らなくなるので、水タンク２０内から水供給用穴２２０ａを介して水タンク２０外に水８０も出なくなる。
【００５８】
小鳥が水トレー３０上の水８０を飲んだり、水トレー３０上の水８０で水浴を行ったりすると、水トレー３０上の水８０の量は減る。特に、小鳥が水浴を行うと、水トレー３０上の水８０は、例えば板３２の部分から溢れ出し、多量に減る。水トレー３０上の水８０の量が減って水供給用穴２２０ａの上端２２０ｂが水トレー３０上の水８０によって塞がれなくなると、水タンク２０外から水供給用穴２２０ａの上端２２０ｂ側を介して水タンク２０内に空気８５が入るので、水トレー３０上の水８０によって水供給用穴２２０ａが完全に塞がれるようになるまで、水トレー３０には水タンク２０から水供給用穴２２０ａの下端２２０ｃ側を介して再び水８０が供給される。
【００５９】
水供給用穴２２０ａは、長手方向の両端の矢印１０ａで示す鉛直方向における位置が異なる長穴であって、矢印２２０ｄで示す長手方向に直交する矢印２２０eで示す方向の長さを直径とする丸穴であると仮定すると水８０が表面張力で保持される大きさに形成されている。したがって、小鳥用給水装置２１０は、水トレー３０上の水８０が減って水タンク２０内から水供給用穴２２０ａを介して水トレー３０上に水８０が供給されるときに水８０が水供給用穴２２０ａで抵抗を受けて水タンク２０内から水トレー３０上に微少な量ずつ供給されるので、水タンク２０内から水供給用穴２２０ａを介して水トレー３０上に供給される水８０の流れの勢いによって水トレー３０の底部に沈殿している羽毛などのゴミが巻き上げられることを抑制することができ、それによって水トレー３０上の水８０中のゴミが水供給用穴２２０ａを介して水タンク２０内に入り込むことを抑制することができる。
【００６０】
また、小鳥用給水装置２１０は、水供給用穴２２０ａが微小に形成されているので、水トレー３０上の水８０にゴミが浮かんでいる場合であっても、水トレー３０上の水８０中のゴミのうち、水供給用穴２２０ａより大きいゴミが小鳥の水浴による水流などによって水供給用穴２２０ａを介して水タンク２０内に入り込むことを防止することができる。
【００６１】
また、小鳥用給水装置２１０は、水トレー３０上の水８０が減って水タンク２０内から水供給用穴２２０ａを介して水トレー３０上に水８０が供給されるときに、水タンク２０内から水供給用穴２２０ａを介して水トレー３０上に供給される水８０の換わりに水タンク２０内に水供給用穴２２０ａを介して空気８５が導入されるが、この空気８５も水タンク２０内から水供給用穴２２０ａを介して水トレー３０上に供給される水８０と同じ微少な量ずつ導入されるので、この空気８５とともに水トレー３０上の水８０中のゴミを水供給用穴２２０ａを介して水タンク２０内に巻き込むことを抑制することができる。
【００６２】
以上に説明したように、小鳥用給水装置２１０は、水トレー３０上の水８０中のゴミが水供給用穴２２０ａを介して水タンク２０内に入り込むことを抑制することができるので、水タンク２０内の水８０の交換頻度を抑えることができ、使用者にかかる負担を抑えることができる。すなわち、小鳥用給水装置２１０は、使用者に過度な負担をかけることなく小鳥に飲水および水浴の両方を行わせることができる。
【図面の簡単な説明】
【００６３】
【図１】本発明の第１の実施の形態に係る小鳥用給水装置の外観斜視図である。
【図２】図１に示す小鳥用給水装置の正面図である。
【図３】図１に示す小鳥用給水装置の右側面図である。
【図４】図１に示す小鳥用給水装置の平面図である。
【図５】図１に示す小鳥用給水装置の背面側から見た分解斜視図である。
【図６】図１に示す小鳥用給水装置の構成部品である２つの筒を切り出す前の筒の側面図である。
【図７】図１に示す小鳥用給水装置の側面断面図であって、水タンク内から水供給用穴を介して水タンク外に水が落ちる直前の図である。
【図８】図１に示す小鳥用給水装置の側面断面図であって、水タンク内から水供給用穴を介して水タンク外に水が落ちた直後の図である。
【図９】図１に示す小鳥用給水装置の側面断面図であって、水トレーに水が溜まっているときの図である。
【図１０】図１に示す小鳥用給水装置の水トレーに溜まった水を飲んでいる小鳥を示す図である。
【図１１】図１に示す小鳥用給水装置の水トレーに溜まった水で水浴を行っている小鳥を示す図である。
【図１２】本発明の第２の実施の形態に係る小鳥用給水装置の背面側から見た分解斜視図である。
【図１３】図１２に示す小鳥用給水装置の側面断面図であって、水タンク内から水供給用穴を介して水タンク外に水が落ちているときの図である。
【図１４】図１２に示す小鳥用給水装置の側面断面図であって、水トレーに水が溜まっているときの図である。
【図１５】本発明の第３の実施の形態に係る小鳥用給水装置の背面側から見た分解斜視図である。
【図１６】図１５に示す小鳥用給水装置の側面断面図であって、水タンク内から水供給用穴を介して水タンク外に水が落ちているときの図である。
【図１７】図１５に示す小鳥用給水装置の側面断面図であって、水トレーに水が溜まっているときの図である。
【符号の説明】
【００６４】
１０  小鳥用給水装置
２０  水タンク
２０ａ  水供給用穴
２０ｃ  上穴
３０  水トレー
８０  水
８５  空気
９０  小鳥
１１０  小鳥用給水装置
１２０  水タンク
１３０  水トレー
２１０  小鳥用給水装置
２２０ａ  水供給用穴
２２０ｂ  上端
２２０ｃ  下端
【図１】
2009261366.tif 000003
【図２】
2009261366.tif 000004
【図３】
2009261366.tif 000005
【図４】
2009261366.tif 000006
【図５】
2009261366.tif 000007
【図６】
2009261366.tif 000008
【図７】
2009261366.tif 000009
【図８】
2009261366.tif 000010
【図９】
2009261366.tif 000011
【図１０】
2009261366.tif 000012
【図１１】
2009261366.tif 000013
【図１２】
2009261366.tif 000014
【図１３】
2009261366.tif 000015
【図１４】
2009261366.tif 000016
【図１５】
2009261366.tif 000017
【図１６】
2009261366.tif 000018
【図１７】
2009261366.tif 000019